(57)【要約】【課題】設備コストを掛けずに内部作業が可能な程度に明るくできるリモートパネルを提供する。【解決手段】パネル本体７０Ｂに、バックライト４６Ｂとタッチパネル式の液晶表示画面４６と、を設けたリモートパネル７Ａであって、パネル本体７０Ｂの筐体前面の中央部に液晶表示画面４６を斜め上向きに傾斜した姿勢で設置し、傾斜した液晶表示画面４６の上方に筐体庇部７１ａを形成し、当該筐体庇部７１ａに液晶表示画面４６が出射する光を筐体内部に導く採光窓５１を設けた構成とした。【選択図】図２
2016167220.tif 000002
【特許請求の範囲】
【請求項１】
パネル本体に、バックライトとタッチパネル式の液晶表示画面と、を設けたリモートパネルであって、
パネル本体の筐体前面の中央部に前記液晶表示画面を設け、当該液晶表示画面の下部を筐体外表面側に配し、前記液晶表示画面の上部を筐体内部の奥側に配して斜め上向きに傾斜した姿勢で前記液晶表示画面を設置すると共に、
傾斜した前記液晶表示画面の上方に筐体庇部を形成し、当該筐体庇部に前記液晶表示画面が出射する光を筐体内部に導く採光窓を設けたことを特徴とするリモートパネル。
【請求項２】
前記採光窓の上方に位置し該採光窓に対向する筐体内部の上天井面に反射板を設けたことを特徴とする請求項１に記載のリモートパネル。
【請求項３】
前記液晶表示画面を覆う保護カバーを設け、該保護カバーの内側面に反射面を設けたことを特徴とする請求項１または２に記載のリモートパネル。
【請求項４】
前記バックライトの光量を調節可能にし、当該リモートパネルのメンテナンス作業を行う際には、前記バックライトの光量を大きくして前記液晶表示画面の輝度を明るくできることを特徴とする請求項１から３のいずれかに記載のリモートパネル。
【請求項５】
当該リモートパネルのメンテナンス作業を行う際には、前記バックライトを点灯させて前記液晶表示画面に作業中であることを示す文字表記もしくは画像表記のいずれか一方もしくは両方を表示することを特徴とする請求項１から４のいずれかに記載のリモートパネル。
【発明の詳細な説明】
【技術分野】
【０００１】
本発明は、たとえば給油所に設置され洗車に使用される洗車機の関連設備品であり洗車の予約や洗車条件の設定を行うリモートパネルに関する。
【背景技術】
【０００２】
給油所などに設置されている洗車機は、洗車の予約や洗車条件の設定を行うリモートパネルを備えている。例えば、従来のリモートパネルは特許文献１に開示される。また、特許文献２は、タッチパネル式のリモートパネルを備えた洗車機を開示する。
【０００３】
特許文献１および特許文献２に開示されたリモートパネルは、洗車機の関連設備品であり洗車の予約や洗車条件の設定を行う際に操作する装置である。そのため、従来のリモートパネルは、各種の設定操作を行う操作部を有する。また、金銭を投入しカードを挿入する複数の差込口を有し、つり銭やレシートを返却する返却口を有する。
【０００４】
リモートパネルの内部には、各種の電装部品や電子基板を備えた制御ボックスや、つり銭収納箱やプリンタロール紙装着部などが配設されている。また、装置内部のメンテナンスのための照明装置を設けたものもある。
【０００５】
リモートパネルの操作部としては、多数の設定ボタンを配置した押しボタン式の操作部と、液晶画面のタッチパネル式の操作部とがある。また、操作部を照明するための照明装置を備えたものもある。特に、タッチパネル式の操作部の場合は、液晶表示装置を構成するバックライトを備える。
【０００６】
また、非操作時に操作部を保護するための保護カバーを設け、操作時には保護カバーを開けて操作を行うものがある。また、この開閉操作を自動的に行うものもあり、特許文献１に記載のリモートパネルは、リモートパネルの昇降移動に連動して上下に開閉する保護カバーを設けた構成が開示される。
【先行技術文献】
【特許文献】
【０００７】
【特許文献１】特開２０１４−１９８５５３号公報
【特許文献２】特開２０１４−１８４８６４号公報
【発明の概要】
【発明が解決しようとする課題】
【０００８】
リモートパネルのメンテナンスを行う場合や、つり銭などを補充する場合のようなリモートパネル内部作業時には、リモートパネルの裏カバーを開けて行う。この際に、リモートパネル内部は暗いので内部を照明する必要が生じる。このような場合に、内部作業専用の照明装置を予め設置しておくことはコスト高となって好ましくない。
【０００９】
また、内部作業する際にライトや懐中電灯を用いてもよいが、片手にライトや懐中電灯を持ちながらでは作業性が悪くなってしまい問題となる。ライトや懐中電灯を所定姿勢に設置して内部作業を行うと、明るい部分と暗い部分が生じるので、効率よく作業を行うことができなくなってしまい問題となる。
【００１０】
そのために、リモートパネルの内部作業を行う際には、内部作業が可能な程度に明るいことが望ましく、明るくするための設備コストも掛からないリモートパネルであることが望まれる。
【００１１】
本発明は、上記問題点に鑑み、設備コストを掛けずに内部作業が可能な程度に明るくできるリモートパネルを提供することを目的とする。
【課題を解決するための手段】
【００１２】
上記目的を達成するために本発明は、パネル本体に、バックライトとタッチパネル式の液晶表示画面と、を設けたリモートパネルであって、パネル本体の筐体前面の中央部に前記液晶表示画面を設け、当該液晶表示画面の下部を筐体外表面側に配し、前記液晶表示画面の上部を筐体内部の奥側に配して斜め上向きに傾斜した姿勢で前記液晶表示画面を設置すると共に、その傾斜した液晶表示画面の上方に筐体庇部を形成し、当該筐体庇部に前記液晶表示画面が出射する光を筐体内部に導く採光窓を設けたことを特徴としている。
【００１３】
この構成によると、バックライトを有する液晶表示画面をパネル本体の中央部に斜め上向きに傾斜して配置し、傾斜した液晶表示画面の上方に採光窓を設けているので、バックライトを点灯すると、液晶表示画面から出射される光がこの採光窓から筐体内部すなわち装置内部に導光される。従って、設備コストを掛けずに内部作業が可能な程度に明るくできるリモートパネルを得ることができる。
【００１４】
また本発明は、上記構成のリモートパネルにおいて、前記採光窓の上方に位置し該採光窓に対向する筐体内部の上天井面に反射板を設けたことを特徴としている。この構成によると、採光窓から入射した光は上天井面に設けた反射板により反射されてリモートパネル内部に導かれるので、リモートパネル内部をさらに明るくできる。
【００１５】
また本発明は、上記構成のリモートパネルにおいて、前記液晶表示画面を覆う保護カバーを設け、該保護カバーの内側面に反射面を設けたことを特徴としている。この構成によると、液晶表示画面から保護カバーに向けて射出される光は保護カバーの反射面により反射するので、反射した光の一部は採光窓から筐体内部に入射する。従って、リモートパネル内部をより明るくできる。
【００１６】
また本発明は、上記構成のリモートパネルにおいて、前記バックライトの光量を調節可能にし、当該リモートパネルのメンテナンス作業を行う際には、前記バックライトの光量を大きくして前記液晶表示画面の輝度を明るくできることを特徴としている。この構成によると、リモートパネルの内部作業中にリモートパネル内部をより一層明るくできる。
【００１７】
また本発明は、上記構成のリモートパネルにおいて、当該リモートパネルのメンテナンス作業を行う際には、前記バックライトを点灯させて前記液晶表示画面に作業中であることを示す文字表記もしくは画像表記のいずれか一方もしくは両方を表示することを特徴としている。この構成によると、液晶表示画面が明るくなっても、また、液晶表示画面が前面白色表示となって最高輝度状態になっても、何故明るくなっているかが判るので、何を表示しているか不明となることを防止できる。
【発明の効果】
【００１８】
本発明によれば、バックライトを有する液晶表示画面を斜め上向きに傾斜して配置し、傾斜した液晶表示画面の上方の筐体庇部に採光窓を設けた構成としたので、設備コストを掛けずに内部作業が可能な程度に明るくできるリモートパネルを得ることができる。
【図面の簡単な説明】
【００１９】
【図１】本発明に係るリモートパネルの一例を示す正面図である。
【図２】本発明に係るリモートパネルの概要を示す概略側面図である。
【図３】本発明に係るリモートパネルの要部拡大図である。
【図４】液晶表示画面の表示例を示す概略説明図である。
【図５】リモートパネルを備えた洗車機の全体構成を示す概略説明図である。
【発明を実施するための形態】
【００２０】
以下に本発明の実施形態を図面を参照して説明する。また、同一構成部材については同一の符号を用い、詳細な説明は適宜省略する。
【００２１】
本実施形態に係るリモートパネル７Ａは、金銭やカードを挿入して各種設定操作を行うもので、例えば図１に示すように、複数の挿入口を備えた上部操作部７１と、洗車モードや洗車条件を設定する主操作部７２と、つり銭やレシートの返却口や各種操作の説明や段階表示を行う下部操作部７３と、を備える。また、これらの操作部を覆う位置と開放する位置とに変位可能な保護カバー３１を備えたものもある。
【００２２】
また、本発明に係るリモートパネル７Ａは、洗車機への進入経路上に設置され、金銭やカードを挿入して各種の洗車モードの設定操作を行うリモートパネルに好適なものである。そのために、本発明に係る実施形態として、洗車機ＷＡへの進入経路上に設置され、各種の洗車モードの設定操作を行うリモートパネル７Ａとして説明する。
【００２３】
リモートパネル７Ａは、例えば図５に示すように、車輪３を有してレール２上に沿って走行移動する洗車機本体１を備える洗車機ＷＡへの進入経路上に設置され、リモートパネル７Ａの正面に被洗浄車両ＣＡを停車して、運転者（ユーザー）が窓から手を伸ばして所望の洗車モードの設定操作を行なう際に用いられる装置である。
【００２４】
洗車モードの設定操作の際には、まず、所定の費用を清算するために金銭を投入したりカードを挿入したりする。そして、所定の洗車モードや各種の洗車条件を設定して、つり銭やカードやレシートなどを受け取った後、洗車位置に移動して所定の洗車条件に沿った洗車を実行する。
【００２５】
すなわち、リモートパネル７Ａを介して設定された洗車モードや洗車条件に応じて、洗車機本体１に装着される洗浄部材や乾燥部材の駆動を制御して所定の洗車操作を行う。洗車機ＷＡは、車輪３を介してレール２上に沿って走行移動する門型の洗車機本体１に、洗浄手段として、トップブラシ４、サイドブラシ５、ロッカーブラシ６、および、第一浄水ノズル１１、第一洗剤ノズル１２、第二浄水ノズル１３、撥水コートノズル１４、第二洗剤ノズル１５、ワックスノズル１６などを備え、乾燥手段として、ブロワ２０、トップ送風ノズル２１、サイド送風ノズル２２などを備えた構成とされる。
【００２６】
そして、各液剤を貯留する各貯液タンクを備えたタンク収納部１７と分配配管部１８を介して洗浄部材から洗浄水や各液剤を噴射してブラッシングする洗浄工程を実行し、乾燥手段を介して乾燥用空気を吹き付けて乾燥工程を実行する。
【００２７】
洗車機本体１の前面上部には車両センサ８（車形検知部）が設けられている。車両センサ８は光電センサや超音波センサ等から成り、洗車機本体１に進入する被洗浄車両ＣＡを検知し車体の幅方向突出した装備品も検知する。また、洗車機本体１の入り口部に、投光器と受光器とを備えた光電センサ（不図示）を設置して、洗車位置に進入してくる被洗浄車両とその車形を検知するものもある。
【００２８】
洗車機本体１には操作パネル７が配設されており、この操作パネル７を介しても洗車モードや洗車条件を設定できる。操作パネル７やリモートパネル７Ａを介して、洗車モードや洗車条件が設定された後、被洗浄車両ＣＡが所定の洗車位置に停車し、車両センサ８がこの被洗浄車両ＣＡを検知すると自動的に洗車操作が開始される。また、車両センサ８による被洗浄車両ＣＡの検知の有無に拘らずに、操作パネル７に設けた操作開始ボタンにより洗車操作を開始することも可能にしている。
【００２９】
ユーザーはリモートパネル７Ａに金銭やカードを投入して所望する洗車モードや洗車条件を設定できるので、リモートパネル７Ａのパネル本体前面の上部に、金銭やカードなどを挿入する上部操作部７１が設けられており、その下に、洗車モードや洗車条件を設定するための主操作部７２が設けられている。また、さらにその下に、つり銭やレシートの排出部が設けられた下部操作部７３が設けられている。
【００３０】
主操作部７２は、例えばタッチパネル式の液晶表示画面４６を有する。この場合には、主操作部７２は、バックライトと液晶表示画面４６を備えたタッチパネル式の操作部であり、液晶表示画面４６はパネル本体７０Ｂの中央部に設けられており、パネル本体７０Ｂの上側の筐体上部に上部操作部７１が設けられており、下方の筐体下部に下部操作部７３が設けられている。
【００３１】
また、上部操作部７１と主操作部７２と下部操作部７３の高さ位置を、車中のユーザーが操作容易となるように、基部７０Ａに対してパネル本体７０Ｂを昇降可能に設置していてもよい。保護カバー３１を備え、パネル本体７０Ｂを昇降可能としている場合には、この第１段の昇降移動の際に保護カバー３１を自動的に開くように構成することが好ましい。また、パネル本体７０Ｂの昇降移動とは無関係に保護カバー３１を開閉可能に構成してもよい。
【００３２】
保護カバー３１は色付きの樹脂製、もしくは、半透明の樹脂製とされ、パネル操作部を覆って保護すると共に、雨水の浸入やごみなどの異物の侵入を防ぐために装着している。また、パネル操作部を覆う全閉位置とパネル操作面を開放する全開位置とに変位可能に構成される。
【００３３】
図１に示すリモートパネル７Ａは、例えば、支柱７０Ａにパネル本体７０Ｂが上下動自在に装着された構成であって、支柱７０Ａに昇降装置（不図示）を内蔵し、上昇ボタン４５、もしくは下降ボタン（液晶表示画面に表示：不図示）を押下して、それぞれ上昇、下降可能に構成されている。また、パネル本体７０Ｂの上部操作部７１の正面側には、返却レバー４１、コイン挿入口４２、紙幣挿入口４３、カード挿入口４４が設けられている。また、主操作部７２にはタッチパネル式の液晶表示画面４６が設けられており、下部操作部７３には、つり銭の返却口もしくは領収書発行部となる払い出し部４７や各操作段階を例えば点灯表示する操作段階表示部５０が設けられている。
【００３４】
また、パネル本体７０Ｂの筐体内部には、つり銭収納箱４８やプリンタロール紙装着部４９等が設けられている。もちろん、各種の電装品や各部を制御する制御部、および、液晶表示画面４６を照明するためのバックライト等も設けられている。
【００３５】
また、リモートパネル７Ａには、報知手段として音声出力を行うスピーカ（不図示）を設け、洗車モードの設定操作の内容や手順を案内する音声ガイド、もしくは、注意事項などの音声ガイドを出力可能としておくことが好ましい。また、パネル前面の所定部位に車両検知手段（不図示）を設けて、洗車モードの設定操作の開始を許可するのに用いたり、保護カバー３１を開操作するのに用いたりしてもよい。
【００３６】
リモートパネル７Ａは上記のように構成されるので、つり銭収納箱４８へのつり銭の補充やプリンタロール紙装着部４９へのプリンタロール紙の補充、また、各種の電装部品のチェックや交換などのメンテナンス作業を行う必要が生じる。この場合には、パネル本体７０Ｂに設けられた裏カバーを開けて行う。
【００３７】
バックライト４６Ｂは、常時点灯していてもよいが、通常は液晶表示画面４６を操作する時に点灯させればよい。すなわち、保護カバー３１を開ける操作に連動して点灯可能に構成しておくとよい。しかしながら、本実施形態のリモートパネル７Ａは、上記したメンテナンス作業を行う際に、バックライトを点灯させて、液晶表示画面４６から射出される光を採光窓５１からパネル本体７０Ｂの筐体内部に導いて利用するものである。そのために、本実施形態においては、保護カバー３１の開閉位置に拘らずにバックライト４６Ｂを点灯させるスイッチを設けるか、もしくは、裏カバーを開ける操作に連動してバックライト４６Ｂを点灯させる点灯制御を行うか、などを採用するとよい。
【００３８】
また、本実施形態に係るリモートパネル７Ａは、バックライト４６Ｂの点灯を採光窓５１からパネル本体７０Ｂの筐体内部に導き易くするために、紙幣挿入口４３とカード挿入口４４との間の距離Ｌ１を広くしている。
【００３９】
次に、図２、図３を用いて本実施形態に係るタッチパネル式の液晶表示画面４６についてさらに説明する。
【００４０】
図２に示すように、液晶表示画面４６は、その下部を筐体外表面側に配し、その上部を筐体内部の奥側に配して傾斜した姿勢で設置される。また、その傾斜した液晶表示画面４６の上方に筐体庇部７１ａを形成し、当該筐体庇部７１ａに前記液晶表示画面が出射する光を筐体内部に導く採光窓５１を設けた構成としている。
【００４１】
この際に、上記したように紙幣挿入口４３とカード挿入口４４との間の距離Ｌ１を広くしているので、採光窓５１の上方には他の部品や電機配線等を設置しない空洞域を設けることが可能になって、採光窓５１から入射する光を筐体内部に効率よく導くことができる。
【００４２】
採光窓５１は光が進行できる窓であればよいので、単なる開口部であってもよいが、雨水の浸入やごみなどの異物の侵入を抑制するためには、ガラスや透明樹脂などを用いることが好ましい。また、この採光窓５１を他の目的のために用いることも可能である。例えば、採光窓５１の上方にそれぞれの読取装置を設置して、採光窓５１の下方にバーコードやＱＲコード（登録商標）などを差し込んで読み取るようにしてもよい。
【００４３】
上記したように、バックライト４６Ｂを有する液晶表示画面４６を斜め上向きに傾斜して配置し、傾斜した液晶表示画面４６の上方に採光窓５１を設けることにより、バックライト４６Ｂを点灯すると、液晶表示画面４６から出射される光がこの採光窓５１から筐体内部すなわち装置内部に導光される。従って、設備コストを掛けずに内部作業が可能な程度にリモートパネル内部７０Ｃを明るくできるリモートパネル７Ａを得ることができる。
【００４４】
また、液晶表示画面４６が斜め上向きに傾斜しているので、ユーザー操作時に画面表面の反射等による眩しさを低減して画面を見易くできる。すなわち、本実施形態によれば、タッチパネル式の液晶表示画面４６を用いたリモートパネル７Ａにおいて、ユーザー操作時に画面表示を見易くでき、さらに、バックライト４６Ｂの光を用いてリモートパネル内部７０Ｃを明るくできる。
【００４５】
また、リモートパネル７Ａは、採光窓５１の上方に位置し該採光窓５１に対向する筐体内部の上天井面に反射板５２を設けることが好ましい。この構成であれば、採光窓５１から筐体内部に入射した光は上天井面に設けた反射板５２により下方に反射されてリモートパネル内部７０Ｃに導かれるので、リモートパネル内部７０Ｃをさらに明るくできる。
【００４６】
また、リモートパネル７Ａは、操作部を覆う保護カバー３１の内側面を反射面３１ａとすることが好ましい。この構成であれば、保護カバー３１が液晶表示画面４６を覆った状態では、液晶表示画面４６から保護カバー３１に向けて射出される光は保護カバー３１の反射面３１ａにより反射して、反射した光の一部は採光窓５１から筐体内部に入射する。従って、リモートパネル内部７０Ｃをより明るくできる。
【００４７】
保護カバー３１の内側面を反射面３１ａとする方法は特には限定されず、例えば、反射率の良い白色系塗料やシルバー系塗料を塗布した面でよく、高反射率の金属面を用いた反射面であってもよい。
【００４８】
保護カバー３１は、例えば、回動部３２を介して図中の矢印Ｄ１方向に回動して、パネル操作面を覆って保護する全閉位置と、パネル操作面の全面を開放する全開位置との間を回動可能に構成される。この開閉移動は、開閉用の駆動モータを設置して開閉可能に構成してもよく、前述したように、パネル本体７０Ｂの昇降移動に連動して開閉移動できるようにしてもよい。
【００４９】
回動部３２は、保護カバー３１がパネル本体７０Ｂに干渉することなく開閉できる構成であればよく、その構成は限定されない。例えば、保護カバー３１を開閉する際の回動中心となる丁番型のヒンジ部材やピン型のヒンジ部材を用いることができる。また、開閉速度を緩和するためにロータリダンパを用いてもよい。
【００５０】
つり銭収納箱４８へのつり銭の補充やプリンタロール紙装着部４９へのプリンタロール紙の補充などのメンテナンス作業を行う際には、裏カバー３３を開けて、バックライト４６Ｂを点灯させて行うとよい。また、この際に、保護カバー３１は全閉位置にあることが好ましい。
【００５１】
図３の要部拡大図に示すように、バックライト４６Ｂが点灯し液晶表示画面４６から射出する光Ｒ１は、その一部が直接採光窓５１に入射する光Ｒ２となる。また、光Ｒ２は反射板５２に反射されて光Ｒ３となって筐体内部に導かれる。
【００５２】
また、保護カバー３１が全閉位置にあれば、液晶表示画面４６から射出する光Ｒ１は、その一部が保護カバー３１の内側面を照明し、内側面に形成された反射面３１ａにより反射して液晶表示画面４６の前面空間４６Ｃの照度を増加させ、採光窓５１に入射する光Ｒ２の光強度を強くする。また、この光強度が高くなった光Ｒ２の一部も反射板５２に反射されて光Ｒ３となって筐体内部に導かれる。
【００５３】
従って、リモートパネル内部７０Ｃには、液晶表示画面４６から射出する光Ｒ１のうち、採光窓５１に直接入射する光と、保護カバー３１の内側面に形成された反射面３１ａにより反射して採光窓５１に入射する光と、反射板５２に反射される光と、の３通りの光が導かれることになる。
【００５４】
また、バックライト４６Ｂの光量を調節可能にし、内部作業中には、バックライト４６Ｂの光量を大きくして液晶表示画面４６の輝度を明るくできることが好ましい。この構成であれば、リモートパネル７Ａの内部作業中にリモートパネル内部７０Ｃをより一層明るくできる。
【００５５】
従って、リモートパネル内部７０Ｃに設置されるつり銭収納箱４８へのつり銭の補充やプリンタロール紙装着部４９へのプリンタロール紙の補充などのメンテナンス作業を行うことが可能になる程度に照明できる。
【００５６】
また、本実施形態に係るリモートパネル７Ａの内部作業中においては、液晶表示画面４６に内部作業中であることを示す文字表記もしくは画像表記のいずれか一方もしくは両方を表示することが好ましい。例えば、図４に示すように、「照明中」との文字表記Ｈ１を示すとよい。また、照明中であることを連想させる画像表記Ｈ２を表示してもよく、文字表記Ｈ１と画像表記Ｈ２を共に表示してもよい。この構成であれば、液晶表示画面４６が明るくなっても、また、液晶表示画面４６が前面白色表示となって最高輝度状態になっても、何故明るくなっているかが判るので、何のためにバックライト４６Ｂが点灯しているのか、液晶表示画面４６が何を表示しているか不明となることを防止できる。
【００５７】
文字表記Ｈ１は「照明中」でなくてもよい。例えば、「作業中」や「点検中」などであってもよく特には限定されない。また、文字表記Ｈ１や画像表記Ｈ２の表示サイズや表示位置も特には限定されないが、リモートパネル内部７０Ｃの明るさに悪影響を及ぼさない程度の表示サイズや表示位置であることが好ましい。
【００５８】
液晶表示画面４６を最高輝度状態にしておき、保護カバー３１を全開にすると、リモートパネル７Ａの前方側を明るく照明できる。すなわち、本実施形態のリモートパネル７Ａによれば、バックライト４６Ｂの発光を利用してリモートパネル７Ａの内部と前方側の両方をそれぞれ照明できる。
【００５９】
上記したように、保護カバー３１を全閉位置とし、バックライト４６Ｂを点灯させることで、リモートパネル内部７０Ｃを、内部作業ができる程度に明るく照明できる。また、バックライト４６Ｂの輝度を高くした状態で保護カバー３１を開けると、液晶表示画面４６の前方を明るく照明できる。従って、本実施形態であれば、リモートパネル７Ａに設けるバックライト４６Ｂを用いて、リモートパネル内部７０Ｃを明るく照明できると共にリモートパネル７Ａの前方外側も明るく照明できる。
【００６０】
リモートパネル７Ａは、洗車機ＷＡに付設してユーザー自身が所望の洗車モードに設定する際に用いるリモートパネルとして説明したが、本実施形態に係るリモートパネル７Ａはこれに限定されず、バックライトを備えた液晶表示画面を有し、つり銭の補充やプリンタロール紙の補充などのメンテナンス作業を定期的に行うことが求められる各種のリモートパネルに用いることができる。
【００６１】
いずれにしても、バックライト４６Ｂを有する液晶表示画面４６を斜め上向きに傾斜して配置し、傾斜した液晶表示画面４６の上方に採光窓５１を設ける構成にすることにより、バックライト４６Ｂを点灯すると、液晶表示画面４６から出射される光がこの採光窓５１から筐体内部すなわちパネル本体内部に導光されて、設備コストを掛けずに内部作業が可能な程度に明るくできるリモートパネル７Ａを得ることができる。
【００６２】
また、採光窓５１の上方に位置し該採光窓５１に対向する筐体内部の上天井面に反射板５２を設けることが好ましく、保護カバー３１の内側面に反射面３１ａを設けることが好ましい。また、バックライト４６Ｂの光量を調節可能にし、メンテナンスなどの内部作業中には、バックライト４６Ｂの光量を大きくして液晶表示画面４６の輝度を明るくできることが好ましい。このような構成であれば、リモートパネル内部７０Ｃをより一層明るくできる。
【００６３】
また、内部作業中には、液晶表示画面４６に内部作業中であることを表示することが好ましい。この構成であれば、何故明るくなっているかが判るので、作業内容が不明となることを防止できる。
【００６４】
上記したように本発明に係るリモートパネルによれば、バックライトを有する液晶表示画面を斜め上向きに傾斜して配置し、傾斜した液晶表示画面の上方の筐体庇部に採光窓を設けた構成としたので、設備コストを掛けずに内部作業が可能な程度に明るくできるリモートパネルを得ることができる。
【産業上の利用可能性】
【００６５】
そのために、本発明に係るリモートパネルは、バックライトとタッチパネル式の液晶表示画面とを備えて、パネル本体内部のメンテナンス作業を行うことが求められるリモートパネルに対して好適に適用される。
【符号の説明】
【００６６】
１    洗車機本体
７Ａ  リモートパネル
３１    保護カバー
３１ａ  反射面
４６    液晶表示画面
４６Ｂ  バックライト
４６Ｃ  前面空間
４８    つり銭収納箱
４９    プリンタロール紙装着部
５１    採光窓
５２    反射板
７０Ｂ  パネル本体
７０Ｃ  リモートパネル内部
７１    上部操作部
７２    主操作部
７３    下部操作部
Ｈ１    文字表記
Ｈ２    画像表記
ＣＡ    被洗浄車両
ＷＡ    洗車機
【図１】
2016167220.tif 000003
【図２】
2016167220.tif 000004
【図３】
2016167220.tif 000005
【図４】
2016167220.tif 000006
【図５】
2016167220.tif 000007